(57)【要約】【課題】フレキシブル太陽電池セルの梱包容積を小さくでき、輸送費を低減できる梱包方法を提供する。【解決手段】フレキシブル太陽電池セルの受光面側に透光性の保護層を設けるステップ（Ｓ１）と、前記保護層を設けられた前記フレキシブル太陽電池セルの受光面側を外側にして丸めるステップ（Ｓ２）と、丸められた前記フレキシブル太陽電池セルを第１導電性袋に入れるステップ（Ｓ３）と、前記フレキシブル太陽電池セルが入った前記第１導電性袋を遮光性の第１円筒に入れるステップ（Ｓ４）と、前記第１導電性袋の内部にガスを充填するステップ（Ｓ５）と、前記第１導電性袋の開口部を閉じるステップ（Ｓ６）とを備える。【選択図】図１
2013212860.tif 000002
【特許請求の範囲】
【請求項１】
フレキシブル太陽電池セルの受光面側に透光性の保護層を設けるステップと、
前記保護層を設けられた前記フレキシブル太陽電池セルの受光面側を外側にして丸めるステップと、
丸められた前記フレキシブル太陽電池セルを第１導電性袋に入れるステップと、
前記フレキシブル太陽電池セルが入った前記第１導電性袋を遮光性の第１円筒に入れるステップと、
前記第１導電性袋の内部にガスを充填するステップと、
前記第１導電性袋の開口部を閉じるステップと、
を備えるフレキシブル太陽電池セルの梱包方法。
【請求項２】
緩衝材を前記第１円筒の両端に配置するステップを備える請求項１に記載のフレキシブル太陽電池セルの梱包方法。
【請求項３】
丸められた前記フレキシブル太陽電池セルの内側に第２導電性袋を入れ、前記第２導電性袋の内部にガスを充填し、前記第２導電性袋の開口部を閉じるステップ
を備える請求項１または２に記載のフレキシブル太陽電池セルの梱包方法。
【請求項４】
前記フレキシブル太陽電池セルの受光面側を外側にして丸めるステップは、
保護層を設けられたフレキシブル太陽電池セルの受光面側を外側にして第２円筒の外側に巻くステップであり、
前記フレキシブル太陽電池セルが入った前記第１導電性袋を遮光性の第１円筒に入れるステップは、
前記フレキシブル太陽電池セルが入った前記第１導電性袋と、該第１導電性袋の外周に配置した膨張部材とを前記第１円筒に入れ、前記第１円筒と前記第１導電性袋との間に備えられた前記膨張部材を膨張させるステップを備える請求項１または２に記載のフレキシブル太陽電池セルの梱包方法。
【請求項５】
前記膨張部材は複数の膨張室を備え、
各前記膨張室にそれぞれガスを充填するステップを備える請求項４に記載のフレキシブル太陽電池セルの梱包方法。
【請求項６】
遮光性の第１円筒と、
前記第１円筒の内に備えた第１導電性袋と、
フレキシブル太陽電池セルと、
前記フレキシブル太陽電池セルの受光面側に設けられた透光性の保護層とを備え、
前記フレキシブル太陽電池セルは、ガスが充填された前記第１導電性袋の中に受光面側を外側にして丸めた状態で備えられているフレキシブル太陽電池セル梱包物。
【請求項７】
さらに、受光面側を外側にして丸められた前記フレキシブル太陽電池セルの内側に第２導電性袋が備えられ、前記第２導電性袋の内部にガスを充填してある請求項６に記載のフレキシブル太陽電池セル梱包物。
【請求項８】
前記フレキシブル太陽電池セルが受光面側を外側にして巻かれている第２円筒を備え、
前記第１円筒と前記第１導電性袋との間に膨張部材を備える請求項６に記載のフレキシブル太陽電池セル梱包物。
【請求項９】
前記膨張部材は、複数の膨張室を備える請求項８に記載のフレキシブル太陽電池セル梱包物。
【発明の詳細な説明】
【技術分野】
【０００１】
本発明は、フレキシブル太陽電池セルを丸めて梱包する方法およびフレキシブル太陽電池セル梱包物に関する。
【背景技術】
【０００２】
特許文献１には、透明ケースに渦巻き状に収納されている色素増感太陽電池が開示されている。
特許文献２には、太陽電池を巻取りチューブに巻いて筒状ケースに収納した太陽電池電源ユニットが開示されている。
【０００３】
上記特許文献１、２は、いずれもユニット化された後の太陽電池であり、物理的、電気的に破壊され易いフレキシブル太陽電池セルを搬送するための梱包形態ではないため、そのまま利用できない。
【０００４】
図１０に示すように、従来のフレキシブル太陽電池セルの搬送方法は、フレキシブル太陽電池セル１と保護シート１０を平板状に交互に積層して、緩衝材１１を最上部に載せて平板状の梱包容器９に梱包する方法であった。しかし、少量のフレキシブル太陽電池１を平板状で梱包すると平面の面積が大きくかつ緩衝材１０の使用量が多くなるため梱包容積が大きく、輸送費が高いという問題点があった。
【先行技術文献】
【特許文献】
【０００５】
【特許文献１】特開２００８−３１０９９８号公報
【特許文献２】特開平１−２０１９６９号公報
【発明の概要】
【発明が解決しようとする課題】
【０００６】
本発明の課題は、梱包容積を小さくでき、輸送費を低減できるフレキシブル太陽電池の梱包方法およびフレキシブル太陽電池セル梱包物を提供することである。
【課題を解決するための手段】
【０００７】
上記課題を解決するため、本発明の第１の態様は、フレキシブル太陽電池セルの受光面側に透光性の保護層を設けるステップと、前記保護層を設けられた前記フレキシブル太陽電池セルの受光面側を外側にして丸めるステップと、丸められた前記フレキシブル太陽電池セルを第１導電性袋に入れるステップと、前記フレキシブル太陽電池セルが入った前記第１導電性袋を遮光性の第１円筒に入れるステップと、前記第１導電性袋の内部にガスを充填するステップと、前記第１導電性袋の開口部を閉じるステップと、を備える。このような構成によれば、第１伝導性袋にガスが充填されて第１円筒の内壁と第１導電性袋が密着する。そして、フレキシブル太陽電池セルのたわみの復元力によって、丸められたフレキシブル太陽電池セルの直径が大きくなる方向に復元力が働くので、第１伝導性袋に受光面が押しつけられる。すなわち、フレキシブル太陽電池セルは、第１導電性袋を介して第１円筒に押さえつけられた状態になる。このため、フレキシブル太陽電池セルは、第１導電性袋の内部で移動することを抑制できる。フレキシブル太陽電池セルは、受光面側に保護層を設けられている為、フレキシブル太陽電池セルを丸めても受光面が傷つけられることを防止できる。フレキシブル太陽電池セルが、非受光面側を外側に巻くよりも、受光面側を外側に巻く方が許容巻き半径が大きい場合、よりコンパクトに梱包できる。なお、許容巻き半径とは、フレキシブル太陽電池セルが破壊されない最小の巻き半径のことである。従って、梱包容積を小さくでき、輸送費を低減できる。
【０００８】
ここで使用する前記ガスとしては、湿度を少なくとも１０％ＲＨ以下まで低減したガスを用いることが望ましく、例えば、窒素ガスや乾燥空気を使用できる。このようにすると、湿度によってフレキシブル太陽電池セルが腐食することを防止できる。前記ガスの湿度が１０％ＲＨより高くても、第１導電性袋の内に乾燥剤を入れて、梱包後、最終的な湿度が１０％ＲＨ以下になるようにしてもよい。この際、前記乾燥剤は、第１導電性袋の内面に接着部材で固定しておく。第１導電性袋としては、例えば、材質がポリエチレンの袋にアルミを蒸着させて導電性加工した袋を使用できる。このようにすると、静電気でフレキシブル太陽電池セルが破壊されることを防止できる。第１円筒としては、例えば、紙製や樹脂製の円筒容器を使用できる。第１円筒が、紙製の円筒容器の場合は、第１円筒の壁の厚さは２ｍｍ以上６ｍｍ以下が望ましい。ダンボール製の場合、４ｍｍ以上６ｍｍ以下がより望ましい。
【０００９】
また、緩衝材を前記第１円筒の両端に配置するステップを備えることにしてもよい。このような構成によれば、第１円筒の内部でフレキシブル太陽電池セルが移動することを抑制できる。
【００１０】
また、丸められた前記フレキシブル太陽電池セルの内側に第２導電性袋を入れ、前記第２導電性袋の内部にガスを充填し、前記第２導電性袋の開口部を閉じるステップをさらに備えることにしてもよい。使用するガスとしては、例えば、窒素や乾燥空気を使用できる。このような構成によれば、ガスが充填されて膨張した第２導電性袋によって、フレキシブル太陽電池セルが第１導電性袋に押さえつけられるので、第１導電性袋の内部でフレキシブル太陽電池セルが移動することを抑制できる。
【００１１】
また、前記フレキシブル太陽電池セルの受光面側を外側にして丸めるステップを、保護層を設けられたフレキシブル太陽電池セルの受光面側を外側にして第２円筒の外側に巻くステップにし、前記フレキシブル太陽電池セルが入った前記第１導電性袋を遮光性の第１円筒に入れるステップを、前記フレキシブル太陽電池セルが入った前記第１導電性袋と、該第１導電性袋の外周に配置した膨張部材とを前記第１円筒に入れ、前記第１円筒と前記第１導電性袋との間に備えられた前記膨張部材を膨張させるステップにしてもよい。このような構成によれば、フレキシブル太陽電池セルが第２円筒に巻かれているので、第１導電性袋からフレキシブル太陽電池セルを取出すことを容易にできる。
【００１２】
また、前記膨張部材は複数の膨張室を備え、各前記膨張室にそれぞれガスを充填するステップを備えることにしてもよい。このような構成によれば、膨張部材の各膨張室の膨張量を調整できる。
【００１３】
また、本発明のフレキシブル太陽電池セル梱包物は、遮光性の第１円筒と、前記第１円筒の内に備えた第１導電性袋と、フレキシブル太陽電池セルと、前記フレキシブル太陽電池セルの受光面側に設けられた保護層とを備え、前記フレキシブル太陽電池セルは、ガスが充填された前記第１導電性袋の中に受光面側を外側にして丸めた状態で備えられている。このような構成によれば、第１伝導性袋にガスが充填されて第１円筒の内壁と第１導電性袋が密着する。そして、フレキシブル太陽電池セルのたわみの復元力によって、丸められたフレキシブル太陽電池セルの直径が大きくなる方向に復元力が働くので、第１伝導性袋に受光面が押しつけられる。すなわち、フレキシブル太陽電池セルは、第１導電性袋を介して第１円筒に押さえつけられた状態になる。このため、フレキシブル太陽電池セルは、第１導電性袋の内部で移動することを抑制できる。フレキシブル太陽電池セルは、受光面側に保護層を設けられている為、フレキシブル太陽電池セルを丸めても受光面が傷つけられることを防止できる。フレキシブル太陽電池セルが、非受光面側を外側に巻くよりも、受光面側を外側に巻く方が許容巻き半径が大きい場合、よりコンパクトに梱包できる。従って、梱包容積を小さくでき、輸送費を低減できる。
【００１４】
ここで使用する前記ガスとしては、湿度を少なくとも１０％ＲＨ以下まで低減したガスを用いることが望ましく、例えば、窒素ガスや乾燥空気を使用できる。このようにすると、湿度によってフレキシブル太陽電池セルが腐食することを防止できる。前記ガスの湿度が１０％ＲＨより高くても、第１導電性袋の内に乾燥剤を入れて、梱包後、最終的な湿度が１０％ＲＨ以下になるようにしてもよい。この際、前記乾燥剤は、第１導電性袋の内面に接着部材で固定しておく。第１導電性袋としては、例えば、材質がポリエチレンの袋にアルミを蒸着させて導電性加工した袋を使用できる。このようにすると、静電気でフレキシブル太陽電池セルが破壊されることを防止できる。第１円筒としては、例えば、紙製や樹脂製の円筒容器を使用できる。第１円筒が、紙製の円筒容器の場合は、第１円筒の壁の厚さは２ｍｍ以上６ｍｍ以下が望ましい。ダンボール製の場合、４ｍｍ以上６ｍｍ以下がより望ましい。
【００１５】
さらに、前記フレキシブル太陽電池セル梱包物は、受光面側を外側にして丸められた前記フレキシブル太陽電池セルの内側に第２導電性袋が備えられ、前記第２導電性袋の内部にガスを充填しておいてもよい。このような構成によれば、ガスが充填されて膨張した第２導電性袋によって、フレキシブル太陽電池セルが第１導電性袋に押さえつけられるので、第１導電性袋の内部でフレキシブル太陽電池セルが移動することを抑制できる。
【００１６】
また、前記フレキシブル太陽電池セル梱包物は、前記フレキシブル太陽電池セルが受光面側を外側にして巻かれている第２円筒を備え、前記第１円筒と前記第１導電性袋との間に膨張部材を備えることにしてもよい。このような構成によれば、フレキシブル太陽電池セルが第２円筒に巻かれているので、第１導電性袋からフレキシブル太陽電池セルを取出すことを容易にできる。
【００１７】
また、前記膨張部材は、複数の膨張室を備えることにしてもよい。このような構成によれば、膨張部材の各膨張室の膨張量を調整できる。
【発明の効果】
【００１８】
本発明によれば、フレキシブル太陽電池セルの梱包容積を小さくでき、輸送費を低減できる。
【図面の簡単な説明】
【００１９】
【図１】本発明の第１の態様に係るフロー図
【図２】本発明の第１の態様に係る斜視図
【図３】本発明の第１の態様に係るIII−III断面の断面図
【図４】本発明の第２の態様に係るフロー図
【図５】本発明の第２の態様に係る断面図
【図６】本発明の第３の態様に係るフロー図
【図７】本発明の第３の態様に係る断面図
【図８】本発明の第４の態様に係るフロー図
【図９】本発明の第４の態様に係る断面図
【図１０】従来例のフレキシブル太陽電池セルの梱包形態
【発明を実施するための形態】
【００２０】
以下、図面を参照しながら本発明に係るフレキシブル太陽電池セルの梱包方法の一実施形態を説明する。なお、本発明は、下記の実施形態に限定されるものではなく、その要旨を変更しない範囲内で適宜変形して実施することができるものである。
【００２１】
図１は、本発明の第１の態様に係るフロー図である。本発明の第１の態様のフレキシブル太陽電池セルの梱包方法は、フレキシブル太陽電池セル１の受光面側に透光性の保護層２を設けるステップ（Ｓ１）と、前記保護層２を設けられた前記フレキシブル太陽電池セル１の受光面側を外側にして丸めるステップ（Ｓ２）と、丸められた前記フレキシブル太陽電池セル１を第１導電性袋３に入れるステップ（Ｓ３）と、前記フレキシブル太陽電池セル１が入った前記第１導電性袋３を遮光性の第１円筒４に入れるステップ（Ｓ４）と、前記第１導電性袋３の内部にガスを充填するステップ（Ｓ５）と、前記第１導電性袋３の開口部を閉じるステップ（Ｓ６）とを備える。Ｓ６のステップ後、緩衝材５を前記第１円筒の両端に配置するステップ（Ｓ７）を備えることにしてもよい。
【００２２】
図２は、本発明の第１の態様に係る斜視図である。第１円筒４の両端には、緩衝材５が設けられている。図示しないが、別の態様として、第１円筒４の中に、受光面側に透光性の保護層を設けたフレキシブル太陽電池セル１を、該フレキシブル太陽電池セル１の受光面側を外側にして丸めて第１導電性袋３の中に入れて、第１導電性袋３を閉じ、閉じられた第１導電性袋３の両端に緩衝材を配置し、さらに、第１円筒４の両端に、樹脂性のキャップを設ける構成にしてもよい。
【００２３】
図３は、本発明の第１の態様に係るIII−III断面の断面図である。第１円筒４の中に受光面側に透光性の保護層２を設けたフレキシブル太陽電池セル１を、該フレキシブル太陽電池セル１の受光面側を外側にして丸めて第１導電性袋３の中に入れられている。第１導電性袋３は、フレキシブル太陽電池セル１を外気と遮断するために気密に閉じられている。フレキシブル太陽電池セル１の受光面側に透光性の保護層２を設けられたので、フレキシブル太陽電池セル１の受光面に傷が付くことを防止できる。フレキシブル太陽電池セル１と透光性の保護層２が一体化されているので、従来技術のように保護シートを取り出して廃棄する必要が無くなる。
【００２４】
本発明の第２の態様としては、図５に示した構成にしてもよい。すなわち、図３の構成に対して、丸められたフレキシブル太陽電池セルの内側にガスを内部に充填した第２導電性袋６を配置している。梱包手順としては、図４に示したフロー図のように、上記第１の態様のＳ４（図１）のステップの後に、丸められた前記フレキシブル太陽電池セルの内側に第２導電性袋を入れ、前記第２導電性袋の内部にガスを充填し、前記第２導電性袋の開口部を閉じるステップ（Ｓ４ａ）を挿入してもよい。
【００２５】
第１容器４からフレキシブル太陽電池セルを取り出すときは、第１円筒の片側の緩衝材を外し、第１導電性袋３を破き、次いで、第２導電性袋６を破く。第２導電性袋６が破かれて内部のガスの圧力がなくなると、それまで第２導電性袋６の内部のガスによる膨張圧力で固定されていたフレキシブル太陽電池セルを容易に取り出すことができる。
【００２６】
本発明の第３の態様としては、図７に示した構成にしてもよい。すなわち、図１の構成に対して、第１円筒４と第１導電性袋３との間に膨張部材８を設置し、丸められたフレキシブル太陽電池セル１の内側に第２円筒７を設置している。梱包手順としては、図６に示したフロー図のように、上記第１の態様のＳ２（図１）のステップの代わりに、透光性の保護層２を設けられたフレキシブル太陽電池セル１の受光面側を外側にして第２円筒７の外側に巻くステップ（Ｓ２ａ）を備え、さらに、上記第１の態様のＳ４（図１）のステップの代わりに、前記第２円筒７に巻かれた前記フレキシブル太陽電池セル１が入った前記第１導電性袋３と、膨張部材とを遮光性の第１円筒４に入れ、前記第１円筒４と前記第１導電性袋３との間に膨張部材８を入れ、前記膨張部材８を膨張させるステップ（Ｓ４ｂ）を備える。
【００２７】
本発明の第４の態様としては、図９に示した構成にしてもよい。すなわち、図７の構成に対して、膨張部材は複数の膨張室（８ａ、８ｂ、８ｃ、８ｄ）を備え、各前記膨張室にそれぞれガスを充填するステップを備える。梱包手順としては、図８に示したフロー図のように、上記第３の態様のＳ４ｂのステップの代わりに、前記第２円筒７に巻かれた前記フレキシブル太陽電池セル１が入った前記第１導電性袋３と、該第１導電性袋３の外周に配置され複数に分割された膨張部材(８ａ、８ｂ、８ｃ、８ｄ)とを遮光性の第１円筒４に入れ、前記第１円筒４と前記第１導電性袋３との間に備えた各前記膨張部材(８ａ、８ｂ、８ｃ、８ｄ)を膨張させるステップ（Ｓ４ｃ）を備える。
【００２８】
以上、本発明の実施態様によれば、フレキシブル太陽電池セルの梱包容積を小さくでき、輸送費を低減できる。
【符号の説明】
【００２９】
１  フレキシブル太陽電池セル
２  透光性の保護層
３  第１導電性袋
３ａ  膨張部付き第１導電性袋
４  遮光性の第１円筒
５  緩衝材
６  第２導電性袋
７  第２円筒
８  膨張部材
８ａ、８ｂ、８ｃ、８ｄ  膨張室
９  平板状の梱包容器
１０  保護シート
１１  緩衝材
【図１】
2013212860.tif 000003
【図２】
2013212860.tif 000004
【図３】
2013212860.tif 000005
【図４】
2013212860.tif 000006
【図５】
2013212860.tif 000007
【図６】
2013212860.tif 000008
【図７】
2013212860.tif 000009
【図８】
2013212860.tif 000010
【図９】
2013212860.tif 000011
【図１０】
2013212860.tif 000012